(57)【要約】【課題】塊ができ難く、比較的均等に均し（拡散）を行うことができる羽根の回転を用いる屑均し装置において、長方形の屑箱の隅角部まで一杯にできるようにする。【解決手段】第２の軸４３でダストカバーの底板に揺動自在に基端を支持したアーム３５の遊端に羽根２２を回転させる第１の軸３３を枢支するとともに、その軸３３をギア３９，３８を介してモータ３６で回転させる。前記ギア３８には偏心して係合ピン４４を立設し、その係合ピン４４を前記ダストカバー２５において、屑箱１１の短辺方向に形成される長孔２５ａと係合させる。したがって、羽根２２の回転に伴ってアーム３５が、（ｂ）→（ａ）→（ｂ）→（ｃ）→（ｂ）で示すように屑箱１１の長編方向に揺動し、屑箱１１の隅角部まで一杯にすることができる。これによって、使用者が満杯と感じる量まで細断屑を溜めることができ、廃棄作業の間隔を長くし、利便性を向上することができる。【選択図】図４
2009254994.tif 000002
【特許請求の範囲】
【請求項１】
平面視で略長方形の屑箱に、羽根を回転させることで、前記屑箱に投入された細断屑を均す屑均し装置を備えるシュレッダー装置において、
前記屑均し装置は、
前記羽根を回転させることで、前記略長方形の屑箱の少なくとも短辺方向に屑均しを行わせる第１の駆動機構と、
前記屑箱の上部に設けられた支持部材に前記第１の駆動機構を懸架し、前記第１の駆動機構およびそれに搭載される前記羽根を前記略長方形の屑箱の長辺方向に移動させる第２の駆動機構とを備えて構成されることを特徴とするシュレッダー装置。
【請求項２】
前記羽根は、回転中心となるハブに複数枚取付けられ、
前記第１の駆動機構は、
前記ハブを回転駆動する第１の軸と、
前記第１の軸を遊端で枢支するアームと、
前記アームにおいて前記第１の軸とは反対側に取付けられるモータと、
前記アームに搭載されて前記モータの回転力を前記第１の軸へ伝達する動力伝達機構とを備えて構成されることを特徴とする請求項１記載のシュレッダー装置。
【請求項３】
前記第２の駆動機構は、
前記アームの基端を、該アームが前記屑箱の略長辺方向に揺動自在となるように前記支持部材に枢支する第２の軸と、
前記アームに取付けられたモータの出力軸に取付けられる位置変換部材と、
前記位置変換部材に前記モータの出力軸から偏心して立設される係合ピンと、
前記支持部材において、前記短辺方向に形成され、前記係合ピンと係合する長孔とを備えて構成されることを特徴とする請求項２記載のシュレッダー装置。
【請求項４】
前記第２の駆動機構は、
前記第１の軸とモータとの間に取付けられる摺動片と、
前記摺動片が前記屑箱の略長辺方向に揺動自在となるように案内する支持軸と、
前記支持軸の両端を前記支持部材に固定する取付け片と、
前記アームに取付けられたモータの出力軸に取付けられる位置変換部材と、
前記位置変換部材に前記モータの出力軸から偏心して立設される係合ピンと、
前記支持部材において、前記短辺方向に形成され、前記係合ピンと係合する長孔とを備えて構成されることを特徴とする請求項２記載のシュレッダー装置。
【請求項５】
前記位置変換部材は比較的大径のギアであり、前記第１の軸に取付けられる比較的小径のギアと噛合することを特徴とする請求項３または４記載のシュレッダー装置。
【請求項６】
前記羽根は、回転中心となるハブに複数枚取付けられ、
前記第１の駆動機構は、
前記ハブを出力軸で回転駆動するモータと、
前記モータを遊端で枢支するアームとを備えて構成され、
前記第２の駆動機構は、
前記アームの基端を、該アームが前記屑箱の略長辺方向に揺動自在となるように前記支持部材に枢支する軸と、
前記モータの出力軸に取付けられる偏心カムと、
前記支持部材に取付けられ、前記偏心カムが前記短辺方向に摺動自在となるＵ字状の案内面を有する案内部材とを備えて構成されることを特徴とする請求項１記載のシュレッダー装置。
【発明の詳細な説明】
【技術分野】
【０００１】
本発明は、シュレッダー装置に関し、特に羽根を回転させることで、前記屑箱に投入された細断屑を均す屑均し装置を備えるものに関する。
【背景技術】
【０００２】
前記のような屑均し装置付きのシュレッダー装置は、たとえば特許文献１や特許文献２で代表される。特許文献１には、細断屑が或る程度の山になると羽根を回転させて屑均しを行い、それによっても屑箱から溢れそうになると細断を停止するようにした典型的な屑均し装置を備えたシュレッダー装置が提案されている。
【０００３】
また、特許文献２には、小型または薄型化のために細断屑の投入範囲が細長い形状をしたシュレッダー装置において、細断屑の均しや圧縮を行うために、平面視で略長方形の屑箱に対して短辺方向に延びるフラッパーと称される均し板を長辺方向に往復動させることで均しを行う屑均し装置が提案されている。
【特許文献１】特許第２８９２２６４号公報
【特許文献２】特許第３７８０５１５号公報
【発明の開示】
【発明が解決しようとする課題】
【０００４】
前記特許文献２の屑均し装置は、或る程度の嵩を超えると、屑山の真ん中だけ押し潰すことになり、塊ができたりするという問題がある。また、往復動のために、復路は殆ど均しを行っていないために効率が悪いという問題もある。
【０００５】
この点、古典的な特許文献１の屑均し装置は、効率良く、比較的均等に細断屑を拡散することができる。しかしながら、このような屑均し装置では、近年、意匠面や設置スペースなどの関係で増加している平面視で略長方形の屑箱を備えるシュレッダー装置の場合には、その長方形の長辺方向の隅角部まで前記細断屑を追い遣ることができず（前記隅角部に隙間が空いたまま）、使用者が満杯と感じる量まで細断屑を溜めることができないという問題がある。また、屑箱に対する細断屑の投入範囲と羽根の中心とがずれていると、屑山の偏りが激しいという問題もある。
【０００６】
本発明の目的は、平面視で略長方形の屑箱を備えるシュレッダー装置において、使用者が満杯と感じる量まで均一に細断屑を溜めることができるシュレッダー装置を提供することである。
【課題を解決するための手段】
【０００７】
本発明のシュレッダー装置は、平面視で略長方形の屑箱に、羽根を回転させることで、前記屑箱に投入された細断屑を均す屑均し装置を備えるシュレッダー装置において、前記屑均し装置は、前記羽根を回転させることで、前記略長方形の屑箱の少なくとも短辺方向に屑均しを行わせる第１の駆動機構と、前記屑箱の上部に設けられた支持部材に前記第１の駆動機構を懸架し、前記第１の駆動機構およびそれに搭載される前記羽根を前記略長方形の屑箱の長辺方向に移動させる第２の駆動機構とを備えて構成されることを特徴とする。
【０００８】
上記の構成によれば、意匠面や設置スペースなどの関係から、平面視で略長方形の屑箱を備えるシュレッダー装置において、羽根を回転させることで、前記屑箱に投入された細断屑を均す屑均し装置を設けるにあたって、その屑均し装置を、前記羽根を回転させることで、前記略長方形の屑箱の少なくとも短辺方向に屑均しを行わせる第１の駆動機構と、前記屑箱の上部に設けられた支持部材に前記第１の駆動機構を懸架し、前記第１の駆動機構およびそれに搭載される前記羽根を前記略長方形の屑箱の長辺方向に移動させる第２の駆動機構とを備えて構成する。
【０００９】
したがって、一部に塊ができたりすることなく、比較的均等に均し（拡散）を行うことができる回転羽根を用いる屑均し装置において、その回転を行わせる第１の駆動機構による略長方形の屑箱の短辺方向の屑均しだけでなく、第２の駆動機構によって長辺方向の屑均しも行うので、使用者が満杯と感じる量まで（屑箱の隅角部まで）均一に細断屑を溜めることができる。これによって、前記使用者による細断屑の廃棄作業の間隔を長くし、利便性を向上することができる。
【００１０】
また、本発明のシュレッダー装置では、前記羽根は、回転中心となるハブに複数枚取付けられ、前記第１の駆動機構は、前記ハブを回転駆動する第１の軸と、前記第１の軸を遊端で枢支するアームと、前記アームにおいて前記第１の軸とは反対側に取付けられるモータと、前記アームに搭載されて前記モータの回転力を前記第１の軸へ伝達する動力伝達機構とを備えて構成されることを特徴とする。
【００１１】
上記の構成によれば、複数枚の羽根の回転中心となるハブおよび第１の軸がアームの遊端で枢支されることで、モータは前記ハブおよび第１の軸の直上または直下に位置しないので、前記ハブおよび第１の軸を前記屑箱に対する細断屑の投入範囲の直下に位置するように配置しても、モータを前記細断屑から保護することができる。
【００１２】
したがって、前記のようにハブおよび第１の軸を前記屑箱に対する細断屑の投入範囲の直下に位置するように配置して、効率良く屑均しを行うことができる。
【００１３】
さらにまた、本発明のシュレッダー装置では、前記第２の駆動機構は、前記アームの基端を、該アームが前記屑箱の略長辺方向に揺動自在となるように前記支持部材に枢支する第２の軸と、前記アームに取付けられたモータの出力軸に取付けられる位置変換部材と、前記位置変換部材に前記モータの出力軸から偏心して立設される係合ピンと、前記支持部材において、前記短辺方向に形成され、前記係合ピンと係合する長孔とを備えて構成されることを特徴とする。
【００１４】
上記の構成によれば、前記羽根の回転と、その羽根の屑箱の長辺方向への移動とを、１つのモータで実現することができるとともに、前記第１の駆動機構およびそれに搭載される前記羽根の長辺方向の往復移動を、リミットスイッチなど、特別な制御のための構成を設けることなく実現することができ、信頼性を向上することができる。
【００１５】
また、本発明のシュレッダー装置では、前記第２の駆動機構は、前記第１の軸とモータとの間に取付けられる摺動片と、前記摺動片が前記屑箱の略長辺方向に揺動自在となるように案内する支持軸と、前記支持軸の両端を前記支持部材に固定する取付け片と、前記アームに取付けられたモータの出力軸に取付けられる位置変換部材と、前記位置変換部材に前記モータの出力軸から偏心して立設される係合ピンと、前記支持部材において、前記短辺方向に形成され、前記係合ピンと係合する長孔とを備えて構成されることを特徴とする。
【００１６】
上記の構成によれば、前記羽根の回転と、その羽根の屑箱の長辺方向への移動とを、１つのモータで実現することができるとともに、前記第１の駆動機構およびそれに搭載される前記羽根の長辺方向の往復移動を、リミットスイッチなど、特別な制御のための構成を設けることなく実現することができ、信頼性を向上することができる。
【００１７】
さらにまた、本発明のシュレッダー装置では、前記位置変換部材は比較的大径のギアであり、前記第１の軸に取付けられる比較的小径のギアと噛合することを特徴とする。
【００１８】
上記の構成によれば、前記係合ピンをモータの出力軸から偏心した位置に支持する位置変換部材を、前記羽根を回転させる減速ギアと兼用することができる。
【００１９】
また、本発明のシュレッダー装置では、前記羽根は、回転中心となるハブに複数枚取付けられ、前記第１の駆動機構は、前記ハブを出力軸で回転駆動するモータと、前記モータを遊端で枢支するアームとを備えて構成され、前記第２の駆動機構は、前記アームの基端を、該アームが前記屑箱の略長辺方向に揺動自在となるように前記支持部材に枢支する軸と、前記モータの出力軸に取付けられる偏心カムと、前記支持部材に取付けられ、前記偏心カムが前記短辺方向に摺動自在となるＵ字状の案内面を有する案内部材とを備えて構成されることを特徴とする。
【００２０】
上記の構成によれば、前記羽根の回転と、その羽根の屑箱の長辺方向への移動とを、１つのモータで実現することができるとともに、前記第１の駆動機構およびそれに搭載される前記羽根の長辺方向の往復移動を、リミットスイッチなど、特別な制御のための構成を設けることなく実現することができ、信頼性を向上することができる。
【発明の効果】
【００２１】
本発明のシュレッダー装置は、以上のように、意匠面や設置スペースなどの関係から、平面視で略長方形の屑箱を備えるシュレッダー装置において、羽根を回転させることで、前記屑箱に投入された細断屑を均す屑均し装置を設けるにあたって、その屑均し装置を、前記羽根を回転させることで、前記略長方形の屑箱の少なくとも短辺方向に屑均しを行わせる第１の駆動機構と、前記屑箱の上部に設けられた支持部材に前記第１の駆動機構を懸架し、前記第１の駆動機構およびそれに搭載される前記羽根を前記略長方形の屑箱の長辺方向に移動させる第２の駆動機構とを備えて構成する。
【００２２】
それゆえ、一部に塊ができたりすることなく、比較的均等に均し（拡散）を行うことができる回転羽根を用いる屑均し装置において、さらに屑箱の隅角部まで一杯にすることができ、使用者が満杯と感じる量まで均一に細断屑を溜めることができる。これによって、前記使用者による細断屑の廃棄作業の間隔を長くし、利便性を向上することができる。
【発明を実施するための最良の形態】
【００２３】
［実施の形態１］
図１は、本発明の実施の一形態に係るシュレッダー装置１の外観を示す斜視図である。このシュレッダー装置１は、上面の開閉蓋２に設けられた投入口３から投入された細断対象物を、その投入口３の下方に配置された一対の細断ローラ４，５によって細断し、その細断動作で生じた細断屑を、前記細断ローラ４，５の下方に配置された屑箱１１に投入してゆくように構成されている。なお、この図１は、前面扉６を開放し、前記屑箱１１をシュレッダー本体７の収容空間７ｂから引き出した状態を示している。
【００２４】
前記開閉蓋２は、奥側の端部が回動自在に軸支され、手前側が上方に開放可能にされて、前記細断ローラ４，５を含む装置内部が露出するようになっている。前記開閉蓋２にはまた、電源ボタン８と、細断動作中である旨を報知するための細断ランプ９と、屑箱１１に細断屑が満杯状態となったことや、細断能力以上の紙が投入口３に投入された場合に一旦装置内部に引き込んだ紙を再度外部に排出することを報知するための停止／逆転ランプ１０とが備えられている。
【００２５】
図２は上述のように構成されるシュレッダー装置１における屑均し装置２１の分解斜視図であり、図３はその平面図である。この屑均し装置２１は、羽根２２を回転させることで前記屑箱１１に投入された細断屑を均すものであり、前記屑箱１１が平面視で長方形であることに対応して、注目すべきは、２つの駆動機構３１，４１を備えていることである。
【００２６】
第１の駆動機構３１は、複数枚の前記羽根２２と、前記羽根２２が取付けられ、その回転中心となるハブ３２と、前記ハブ３２が一端に固着され、それを回転駆動する第１の軸３３と、前記第１の軸３３を枢支する軸受け３４と、前記軸受け３４が遊端に取付けられるアーム３５と、前記アーム３５において前記第１の軸３３とは反対側に取付けられるモータ３６と、前記アーム３５に搭載されて前記モータ３６の回転力を前記第１の軸３３へ伝達する動力伝達機構３７とを備えて構成される。前記動力伝達機構３７は、前記モータ３６の出力軸３６ａに固着される大径のギア３８と、前記第１の軸３３の他端に固着される小径のギア３９とを備えて構成される。
【００２７】
このように構成することで、モータ３６を細断屑の投入範囲２３の直下からオフセット配置して、該モータ３６上への前記細断屑の堆積による故障を防止する一方、前記ハブ３２および第１の軸３３を前記細断ローラ４，５から前記屑箱１１への細断屑の投入範囲２３の直下に位置するように配置して、後述するような屑均しを、効率良く行うことができるようになっている。また、周方向に等間隔で設けられる前記複数枚（本実施の形態では４枚）の前記羽根２２の外周縁部は、連結リング２４で相互に連結されており、細断屑に接触している部分で加わっている負荷を他の負荷の軽い羽根に分散することで、変形が防止されている。これによって、撹拌能力を犠牲にすることなく、各羽根２２を薄くして、軽量化が図られている。また、前記連結リング２４によって、細断屑が飛散するのを防止することもできる。
【００２８】
なお、上述の例では、前記動力伝達機構３７はギア３８，３９で構成されたけれども、チエンやベルトなどが用いられてもよい。また、ギア３８，３９による増速比は、羽根２２の枚数や幅および高さ、すなわち細断屑から受ける抵抗に、モータ３６のトルク、さらに後述する往復動に分割すべきトルクなどを考慮して、適宜決定されればよい。
【００２９】
一方、第２の駆動機構４１は、前記アーム３５の基端に取付けられる軸受け４２と、支持部材であるダストカバー２５に立設され、前記軸受け４２に枢支される第２の軸４３と、位置変換部材である前記ギア３８において、前記モータ３６の出力軸３６ａから偏心して立設される係合ピン４４と、前記ダストカバー２５において、屑箱１１の短辺方向に形成され、前記係合ピン４４と係合する長孔２５ａとを備えて構成される。前記ギア３８，３９部分には、それらを細断屑から保護する保護カバー４５が被せられており、これに対応して、前記ギア３８は段差３８ａを有して形成され、その１段高い部分が前記保護カバー４５に形成された孔４５ａに嵌り込み、偏心回転する係合ピン４４を立設しても、孔４５ａからギア３８，３９部分への細断屑の侵入が抑えられている。こうして、前記係合ピン４４をモータ３６の出力軸３６ａから偏心した位置に支持する位置変換部材が、前記羽根２２を回転させる減速ギア３８と兼用されている。
【００３０】
支持部材であるダストカバー２５は、前記細断ローラ４，５を駆動するモータ１２を細断屑から保護するもので、板状体が側面視で略Ｌ字状に折り曲げられ、底板２５ｂに前記長孔２５ａが形成されて成る。前記モータ１２の出力は、減速機構１３で減速された後、ギア１４から出力され、前記細断ローラ４，５へは、それらを駆動するギア１５に巻掛けられた図示しないチエンによって駆動力が伝達される。
【００３１】
図４は上述のように構成される屑均し装置２１の動作を説明するための平面図であり、図５はその前後方向断面図であり、図６はその左右方向断面図である。本実施の形態に係るモータ３６の駆動は、屑箱１１に細断屑が貯まってゆき、図示しないフォトセンサなどのセンサによって所定高さになったことが検知された時点で行われてもよいが、当初から細断屑を均等に拡散するために、細断用のモータ１２が回転している間は合わせて該モータ３６が駆動されてもよい。
【００３２】
前記モータ３６の回転によって羽根２２が回転すると、該羽根２２の径が屑箱１１の短辺方向の幅に近いために、図５（ａ）から図５（ｂ）で示すように、屑箱１１の短辺方向には、略均等に細断屑５０が堆積してゆく中で、第１の駆動機構３１が前記長辺方向に揺動しなければ、図６において、仮想線５０ｂで示すように、投入範囲２３に届かない羽根２２の外周部分の細断屑は、均し作用を受けないために堆積成長して、前記細断ローラ４，５に接触し、細断屑が細断ローラ４，５に巻き込まれて致命的な故障につながってしまう。
【００３３】
これに対して本実施の形態では、前記モータ３６の回転によって羽根２２が回転するとともに、該モータ３６が回転すると、図４（ｂ）→（ａ）→（ｂ）→（ｃ）→（ｂ）のように、アーム３５が揺動し、したがってそれに搭載される第１の駆動機構３１も前記屑箱１１の長辺方向に１往復揺動する。したがって、図６において参照符号５０ｃで示すように、故障につながるような局所的な堆積がなく、しかも屑箱１１の長辺方向にも、略一杯まで細断屑５０を堆積させることができる。このように回転する羽根２２による屑箱１１の短辺方向の屑均しだけでなく、長辺方向の屑均しも併せて行うことで、使用者が満杯と感じる量まで（屑箱１１の隅角部まで）細断屑５０を溜めることができる。これによって、前記使用者による細断屑５０の廃棄作業の間隔を長くし、利便性を向上することができる。
【００３４】
また、前記長辺方向の往復動を実現するにあたって、前述の特許文献２の従来技術では、リミットスイッチなど、制御に要する構成が複雑で、さらに細断屑による影響などで信頼性に劣るのに対して、本実施の形態では、特別な制御を行う必要もなく、高い信頼性を得ることもでき、コストの低減および長寿命化を図ることができる。
【００３５】
さらにまた、第２の駆動機構４１では、羽根２２を回転駆動するためのギア３８に偏心して立設した係合ピン４４を、ダストカバー２５に形成した長孔２５ａと係合させることで前記長辺方向への往復動を実現しているので、前記羽根２２の回転と、その羽根２２の屑箱１１内での移動とを、１つのモータ３６で実現することができる。
【００３６】
［実施の形態２］
図７は本発明の実施の他の形態に係るシュレッダー装置における屑均し装置５１の前後方向断面図であり、図８はその動作を説明するための平面図であり、それぞれ前述の図５および図４に対応している。この屑均し装置５１は、前述の屑均し装置２１に類似し、対応する部分には同一の参照符号を付して示し、その説明を省略する。注目すべきは、本実施の形態では、アーム３５の基端側では、前記第２の軸４３による底板２５ｂへの支持が行われておらず、代りに、モータ３６と軸受け３４との間には矩形の孔を有する摺動片５５が取付けられ、その摺動片５５が、角棒から成る支持軸５２によって摺動支持されていることである。前記支持軸５２の両端は、取付け片５３によって前記ダストカバー２５の底板２５ｂに支持されている。モータ３６が１回転すると、図８（ｂ）→（ａ）→（ｂ）→（ｃ）→（ｂ）のように、アーム３５が前記屑箱１１の長辺方向に１往復揺動する。
【００３７】
このように構成してもまた、アーム３５を揺動させて、屑箱１１の長辺方向にも、略一杯まで細断屑５０を堆積させることができる。また、前述の屑均し装置２１では、モータ３６を始め、第１および第２の駆動機構３１，４１ならびに羽根２２の荷重が、アーム３５の基端側の第２の軸４３での支持となっているのに対して、それを略中央でバランス良く支持することができる。さらにまた、大径のギア３８の周縁にでも係合ピン４４を立設することができ、羽根２２の前記長編方向の移動量を大きくすることができ、特に薄型機の場合に好適である。
【００３８】
［実施の形態３］
図９は、本発明の実施のさらに他の形態に係るシュレッダー装置における屑均し装置６１の動作を説明するための模式的な平面図であり、前述の図４に対応している。この屑均し装置６１は、前述の屑均し装置２１に類似し、対応する部分には同一の参照符号を付して示し、その説明を省略する。注目すべきは、本実施の形態では、羽根２２を駆動する前記第１の軸３３はモータ３６の出力軸３６ａに直結されており、前述の係合ピン４４に代えて、その出力軸３６ａには偏心カム６９が固着され、これに対応して前記ダストカバー２５の底板２５ｂには、前記長孔２５ａに代えて、Ｕ字状の案内部材６４が取付けられていることである。モータ３６には、減速機構が内蔵されている。したがって、モータ３６の出力軸３６ａが１回転すると、羽根２２も１回転するとともに、図９（ｂ）→（ａ）→（ｂ）→（ｃ）→（ｂ）のように、アーム３５が前記屑箱１１の長辺方向に１往復揺動する。
【００３９】
このように構成してもまた、アーム３５を揺動させて、屑箱１１の長辺方向にも、略一杯まで細断屑５０を堆積させることができる。
【図面の簡単な説明】
【００４０】
【図１】本発明の実施の一形態に係るシュレッダー装置の外観を示す斜視図である。
【図２】前記シュレッダー装置における屑均し装置の分解斜視図である。
【図３】図２の平面図である。
【図４】図２および図３で示す屑均し装置の動作を説明するための平面図である。
【図５】図２および図３で示す屑均し装置の動作を説明するための前後方向断面図である。
【図６】図２および図３で示す屑均し装置の動作を説明するための左右方向断面図である。
【図７】本発明の実施の他の形態に係るシュレッダー装置における屑均し装置の前後方向断面図である。
【図８】図７で示す屑均し装置の動作を説明するための平面図である。
【図９】本発明の実施のさらに他の形態に係るシュレッダー装置における屑均し装置の動作を説明するための模式的な平面図である。
【符号の説明】
【００４１】
１    シュレッダー装置
２    開閉蓋
３    投入口
４，５  細断ローラ
６    前面扉
７    シュレッダー本体
１１    屑箱
１２，３６    モータ
１３    減速機構
１４，１５，３８，３９    ギア
２１，５１，６１    屑均し装置
２２    羽根
２３    投入範囲
２４    連結リング
２５    ダストカバー
２５ａ  長孔２５ａ
３１    第１の駆動機構
３２    ハブ
３３    第１の軸
３４    軸受け
３５    アーム
３６ａ  出力軸
３７    動力伝達機構
４１    第２の駆動機構
４２    軸受け
４３    第２の軸
４４    係合ピン
４５    保護カバー
５０    細断屑
５２    支持軸
５３    取付け片
６４    案内部材
５５    摺動片
６９    偏心カム
【図１】
2009254994.tif 000003
【図２】
2009254994.tif 000004
【図３】
2009254994.tif 000005
【図４】
2009254994.tif 000006
【図５】
2009254994.tif 000007
【図６】
2009254994.tif 000008
【図７】
2009254994.tif 000009
【図８】
2009254994.tif 000010
【図９】
2009254994.tif 000011